(57)【要約】【課題】携帯電話装置において、ダイヤルキーによる文字入力時の操作性を向上させる。【解決手段】ダイヤルキー１１の各キーに文字群を割り当てる。ダイヤルキー１１の所定短時間（例えば０．１秒）のキーオン毎に文字群の文字を１つずつ進めて入力文字とする。ダイヤルキー１１の所定中時間（例えば０．４秒）のキーオン毎に文字群の文字を所定数（例えば４）ずつ進めて入力文字とする。所定数を漢字モード／カナモードと英字モードとで選択する。所定数をキーに応じて選択する。【選択図】　　　図１
2004064638.tif 000002
【特許請求の範囲】
【請求項１】
ダイヤルキーのキーを所定短時間だけ１回押下する毎に該キーに割り当てられた文字群の入力文字が巡回的に１つずつ進むように構成された携帯電話装置において、
前記キーが前記所定短時間よりも長い所定中時間以上継続して押下された場合に、前記文字群の文字を所定数だけ進んだ入力文字とし、該入力文字を表示部に表示させる機能を備えたことを特徴とする携帯電話装置。
【請求項２】
前記キーが継続して押下されている間、前記１回押下に対応する処理を所定回数実行することにより、該１回押下の所定回数実行に対応する文字を入力文字とすることを特徴とする請求項１記載の携帯電話装置。
【請求項３】
前記ダイヤルキーのキーに割り当てられた文字群が英字であって、
前記所定数が４であることを特徴とする請求項１記載の携帯電話装置。
【請求項４】
前記ダイヤルキーのキーに割り当てられた文字群が仮名文字であって、
前記所定数が３であることを特徴とする請求項１記載の携帯電話装置。
【請求項５】
前記ダイヤルキーのキーに割り当てる文字群を英字と仮名文字から選択できる文字入力モード選択機能を備え、
前記文字入力モード選択機能で選択された文字群に対応して前記所定数を選択決定することを特徴とする請求項１記載の携帯電話装置。
【請求項６】
前記ダイヤルキーのキーに割り当てる文字群を英字と仮名文字から選択できる文字入力モード選択機能を備え、
前記文字入力モード選択機能で選択された文字群と前記ダイヤルキーの個別のキーとに対応して前記所定数を選択決定することを特徴とする請求項１記載の携帯電話装置。
【発明の詳細な説明】
【０００１】
【発明の属する技術分野】
本発明は、ダイヤルキー（テンキー）のキーを所定短時間だけ１回押下する毎に該キーに割り当てられた文字群の入力文字が巡回的に１つずつ進むように構成された携帯電話装置に関する。
【０００２】
【従来の技術】
従来、この種の携帯電話装置として携帯電話機やＰＨＳ（ｐｅｒｓｏｎａｌ　ｈａｎｄｙｐｈｏｎｅ　ｓｙｓｔｅｍ）などがある。これらの装置では、電話帳登録や電子メール作成などを行うために、ダイヤルキーと、その他少数のキーに複数の機能を割り当て、それらを使い分けることによって、文字、数字、記号等の入力が可能になっている。なお、以下の説明で、ダイヤルキーにおいて各数字０〜９を入力するための各キーを区別するとき、数字ｉに対応するキーを“「ｉ」キー”または“ダイヤルキー「ｉ」”ともいう。
【０００３】
従来の文字入力の方法として次のような方法がある。例えば、仮名文字の「あ、い、う、え、お、ぁ、ぃ、ぅ、ぇ、ぉ」の１０文字の文字群がダイヤルキーの「１」キーに割り当てられており、ひらがな文字の入力モード（漢字入力モード）のとき、「１」キーを１回押下する毎に表示部の表示が「あ」→「い」→「う」→…と巡回的に１つずつ進んで変化し、表示されている文字がその時点での入力候補となる。
【０００４】
そして、別のキーや移動キー（連続して同じキーで別の文字を入力する場合）等を操作すると、その操作直前の入力候補が入力文字となる。これは１文字入力の場合の操作であるが、他のキーも同様に操作して文字列を入力することができる。また、カタカナ文字や英字も入力モードを切り換えて同様の操作を行うことで入力できる。なお、ひらがな文字で所定の文字を入力して変換キー等を操作すると漢字候補が表示されて、漢字を入力できる。
【０００５】
【発明が解決しようとする課題】
しかし、上記のような入力方法では、ダイヤルキーの一つのキーに割り当てられた文字群の中で最後の方にある文字を入力する場合は押下回数が増えるので入力操作に手間が掛かるという問題がある。また、押下回数が増えると操作速度が早くなりがちで、表示部の表示スキャン速度に対してキー入力の方が早くなり、「行き過ぎ打鍵」が生じる。この場合にはさらに多数の押下を繰り返す必要があり、使い勝手が著しく悪いという問題がある。
【０００６】
例えば、「お」を入力する場合「１」キーを５回押下するのであるが、気がつくと行き過ぎて「ぁ」になっていることがある。この場合、さらに９回の押下を繰り返さないと所望の「お」を入力できない。なお、この現象は、実際に５回押下した時点で表示が「え」のままであり、６回目を押下してしまった場合と考えられる。そこで、表示が確定するまで入力を禁止することも考えられるが、実際に早い打鍵が必要なときに応答性の点で問題がある。
【０００７】
本発明は、携帯電話装置において、ダイヤルキーによる文字入力時の操作性を向上させることを課題とする。
【０００８】
【課題を解決するための手段】
本発明の請求項１の携帯電話装置は、ダイヤルキーのキーを所定短時間だけ１回押下する毎に該キーに割り当てられた文字群の入力文字が巡回的に１つずつ進むように構成された携帯電話装置において、前記キーが前記所定短時間よりも長い所定中時間以上継続して押下された場合に、前記文字群の文字を所定数だけ進んだ入力文字とし、該入力文字を表示部に表示させる機能を備えたことを特徴とする。
【０００９】
請求項１の携帯電話装置によれば、ダイヤルキーのキーを所定短時間（例えば０．１秒）だけ１回押下する毎に該キーに割り当てられた文字群の入力文字が巡回的に１つずつ進んだ入力文字となる。一方、ダイヤルキーのキーを所定中時間（例えば０．４秒）以上継続して押下した場合、前記文字群から所定数だけ進んだ文字が入力文字となる。それぞれの、入力文字は表示部に表示される。したがって、文字群のうち所定数よりも前の文字を入力するときは所定短時間の一回押下を繰り返し、所定数だけ進んだ文字を入力する場合は所定中時間以上継続し、その所定数以降にある文字を入力する場合は、所定中時間以上継続して押下し、その後、一回押下を必要な回数繰り返せばよい。すなわち、所定短時間の１回押下と所定中時間の継続押下との組み合わせにより、所定短時間の１回押下だけによる入力操作よりも少ない押下回数で文字入力が可能となり、文字入力時の操作性が向上する。
【００１０】
本発明の請求項２の携帯電話装置は、請求項１の構成を備え、前記キーが継続して押下されている間、前記１回押下に対応する処理を所定回数実行することにより、該１回押下の所定回数実行に対応する文字を入力文字とすることを特徴とする。
【００１１】
請求項２の携帯電話装置によれば、請求項１と同様な作用効果が得られるとともに、キーが継続して押下されている間、繰り返し回数を計数しながら１回押しに対応する処理を繰り返すだけでよいので、処置が容易になる。
【００１２】
本発明の請求項３の携帯電話装置は、請求項１の構成を備え、前記ダイヤルキーのキーに割り当てられた文字群が英字であって、前記所定数が４であることを特徴とする。
【００１３】
請求項３の携帯電話装置によれば、請求項１と同様な作用効果が得られるとともに、所定短時間よりも長い所定中時間だけ継続して押下した場合に、文字群の文字が４つだけ進んだ入力文字となるので、英字の入力時の操作性が向上する。英字の入力時には入力文字は小文字が圧倒的に多い。しががって、例えば「２」キーに「ａ、ｂ、ｃ、Ａ、Ｂ、Ｃ、２」の文字群を割り当てる場合がある。この場合、所定中時間の継続押下を一回操作すれば、大文字の「Ａ」が入力文字となり、大文字の入力が容易になる。なお、小文字は所定短時間の１回押下で入力すればよい。
【００１４】
本発明の請求項４の携帯電話装置は、請求項１の構成を備え、前記ダイヤルキーのキーに割り当てられた文字群が仮名文字であって、前記所定数が３であることを特徴とする。
【００１５】
請求項４の携帯電話装置によれば、請求項１と同様な作用効果が得られるとともに、所定短時間よりも長い所定中時間だけ継続して押下した場合に、文字群の文字が３つだけ進んだ入力文字となるので、仮名文字の入力時の操作性が向上する。仮名文字は５０音の行毎の文字群が例えば携帯電話機のダイヤルキーに割り当てられる。例えば「１」キーに「あ、い、う、え、お、ぁ、ぃ、ぅ、ぇ、ぉ」の文字群が割り当てられる。この場合、所定中時間の継続押下を一回操作すれば、大文字の「う」が入力文字となり、所定短時間の１回押下を３回繰り返すよりも入力が容易になる。
【００１６】
本発明の請求項５の携帯電話装置は、請求項１の構成を備えるとともに、前記ダイヤルキーのキーに割り当てる文字群を英字と仮名文字から選択できる文字入力モード選択機能を備え、前記文字入力モード選択機能で選択された文字群に対応して前記所定数を選択決定することを特徴とする。
【００１７】
請求項５の携帯電話装置によれば、請求項１と同様な作用効果が得られるとともに、英字と仮名文字の入力時の操作性がいずれも向上する。
【００１８】
本発明の請求項６の携帯電話装置は、請求項１の構成を備えるとともに、前記ダイヤルキーのキーに割り当てる文字群を英字と仮名文字から選択できる文字入力モード選択機能を備え、前記文字入力モード選択機能で選択された文字群と前記ダイヤルキーの個別のキーとに対応して前記所定数を選択決定することを特徴とする。
【００１９】
請求項６の携帯電話装置によれば、請求項１と同様な作用効果が得られるとともに、例えば携帯電話機のダイヤルキーに割り当てる文字群の文字数が異なっていても各文字群における文字の入力が容易になる。
【００２０】
【発明の実施の形態】
図１は本発明を適用した携帯電話装置としての携帯電話機１の外観斜視図である。操作部には、電話番号入力と文字入力用のダイヤルキー１１、入力文字の消去等（キャンセル）を行うときに操作するクリアキー１２、オンフックするとき操作する開始キー１３、オフフックや保留するときあるいは電源をオン／オフするときに操作する電源キー１４、選択モードに応じた各種メニューを表示するとき操作するメニューキー１５及びカーソル移動キー１６が配設されている。また、操作部の下部には送話用マイク１７が配設されるとともに、操作部の下端に外部接続端子１８が配設されている。また、ヘッド部には受話用のスピーカ１９、各種表示を行うための液晶表示部２１が配設され、さらにヘッド部の上端にはアンテナ２２が配設されている。
【００２１】
図２は上記携帯電話機の要部ブロック図である。制御部１０はＣＰＵ１０１、、タイマ１０２、ＲＯＭ１０３、ＲＡＭ１０４等を備えたマイコンにより構成されており、この制御部１０はＣＰＵ１０１がＲＯＭ１０３に格納された制御プログラムを実行し、ＲＡＭ１０４のワーキングエリアを使用して携帯電話機の全体の制御を行う。また、ＣＰＵ１０１は、タイマ１０２をキーを押下している時間を計時するために使用したり、０．１秒を計時する０．１秒キータイマとしても用いる。
【００２２】
制御部１０には、前記のダイヤルキー１１、クリアキー１２，開始キー１３、電源キー１４、メニューキー１５、カーソル移動キー１６、液晶表示部２１が接続されている。また、制御部１０には、送受信を行う送受信部３１、日時を管理する時計部３２、停電時に設定情報等を待避する外部ＲＡＭ３３、パーソナルコンピュータ等の外部機器とデータの授受を行うための外部インタフェース３４が接続されている。なお、制御部１０、時計部３２、外部ＲＡＭ３３には電源電池３５から電力が供給される。また、時計部３２と外部ＲＡＭ３３には電源オフ時にバックアップ電池３６から電力が供給される。
【００２３】
以上の構成により、ＣＰＵ１０１は後述の各フローチャートに示した処理を行い、通常の携帯電話機の各種の機能が得られるとともに、本発明の実施形態の特徴であるキー（文字）入力処理等が行われる。キー（文字）入力処理では、漢字モード／カナモードのとき所定値を“３”、英字モードのとき所定値を“４”とする。そして、漢字モード／カナモードで「ｉ」キーが０．３秒以上連続して押下されたとき（１回押下の処理を３回繰り返したのと同じ作用）、「ｉ」キーに対応する文字群を３つ目に進めて入力文字とする。また、英字モードで「ｉ」キーが０．４秒以上連続して押下されたとき（１回押下の処理を４回繰り返したのと同じ作用）、「ｉ」キーに対応する文字群を４つ目に進めて入力文字とする。１回押下を０．１秒以上０．２秒未満としたときは、１回押下の処理を１回だけ行って入力文字とする。
【００２４】
次表２は実施形態における各「ｉ」キーに割り当てられた文字群の例を示す図であり、前記コラム［０００３］、［００１３］、［００１５］で説明した文字群と同様に、従来の割り当て例である。
【００２５】
【表１】
2004064638.tif 000003
【００２６】
図３〜図５は実施形態における制御プログラムのフローチャートである。図３はメインルーチンのフローチャート、図４は電話機能処理のサブルーチンのフローチャート、図５はキー（文字）入力処理のサブルーチンのフローチャートであり、同図に基づいて実施形態の動作を説明する。なお、図５のフローチャート及び対応する説明において、制御に用いられるレジスタを下記のラベルで表記し、各レジスタとそれらの記憶内容は特に断らない限り同一のラベルで表す。
【００２７】
ｔｓｅｔ　：所定数を格納するレジスタ
ｔｃ：１回押下の処理の回数を格納するカウンタレジスタ
「ｉ」ｊ：「ｉ」キーの文字群における処理中の文字の先頭からの順番を格納するレジスタ（なお、「ｉ」ｊは「ｉ」キーの種類（ｉの値）によって異なる。）
【００２８】
図３のメインルーチンは、該携帯電話機１をユーザに販売するときや、ユーザが充電したときなど、電源電池３５の電源電圧が所定電圧になると起動される。まず、ステップＳ１０でＣＰＵ１０１自身の初期化を行い、ステップＳ２０で制御部１０を始動し、ステップＳ３０で携帯電話機１の装置初期化を行う。なお、このステップＳ３０の装置初期化は、停電処理により設定情報が外部ＲＡＭ２３に記憶されているときはその設定情報を用い、記憶されていないときは出荷時のデフォルト情報が用いられる。
【００２９】
次に、ステップＳ４０で「電源キー１４が１秒以上押されたか」を判定し、判定がｎｏであれば、キー入力があるまでステップＳ４０の処理を繰り返す。判定がｙｅｓであれば、ステップＳ５０で表示画面点灯処理を行うとともにステップＳ６０で待受状態としてステップＳ７０に進む。これにより、携帯電話機１の電源が入れられ、液晶表示部２１に待受画面が表示されるとともに携帯電話機１が待受状態となる。
【００３０】
ステップＳ７０では、「電話機能処理」（図４）のサブルーチンを実行する。次に、ステップＳ８０で「電源電圧は所定値以上か」を判定する。判定がｎｏであればステップＳ９０に進み、制御部１０は各種設定値の待避などの停電処理を行って処理を終了する。ステップＳ８０の判定がｙｅｓであれば、ステップＳ１００に進み、「電源キー１４が１．５秒以上押されたか」を判定する。判定がｎｏであればステップＳ５０に戻り、判定がｙｅｓであれば、ステップＳ１１０で携帯電話機１を停止状態としてステップＳ１２０に進む。ステップＳ１２０では、「電源の強さ／アンテナ」の表示を消灯し、ステップＳ１３０に進む。
【００３１】
ステップＳ１３０では、「電源キー１４が３秒以上押されたか」を判定し、判定がｎｏであればステップＳ１５０に進み、判定がｙｅｓであればステップＳ１４０で表示画面消灯処理を行ってステップＳ４０に戻る。ステップＳ１５０では、時計機能処理を行って液晶表示部２１に時刻を表示し、ステップＳ１６０に進む。ステップＳ１６０では「電源キー１４が１秒以上押されたか」を判定し、判定がｎｏであればステップＳ１５０に戻り、判定がｙｅｓであればステップＳ５０に戻る。
【００３２】
前記ステップＳ７０で、図４の電話機能処理を開始すると、まず、ステップＳ２１０で「信号入力が発生したか」を判定する。判定がｎｏであればステップＳ２２０に進み、制御部１０は液晶表示部２１にパーシャル表示（省電力用の表示）を継続し、元のルーチンに復帰する。判定がｙｅｓであればステップＳ２３０に進み待受画面を表示する。次にステップＳ２４０に進み「信号入力はメニューキーか」を判定する。判定がｎｏであればステップＳ２５０で「信号入力に対応するモードの処理を実行し、元のルーチンに復帰する。すなわち、メニューキー１５のメニューキー以外の入力であればステップＳ２５０で実行処理する。本発明は、後述するステップＳ３２０の「キー（文字）入力処理」に関わり、前記以外の他の処理はステップＳ２５０で代表的に処理することとする。ステップＳ２４０の判定がｙｅｓであればステップＳ２６０に進む。
【００３３】
ステップＳ２６０ではメニュー画面を表示する。次に、ステップＳ２７０では「（メニューから）メールが選択されたか」を判定し、判定がｎｏであればステップＳ２８０に進み、ステップＳ２８０で、選択されたメニューの処理を実行し、元のルーチンに復帰する。すなわち、メール以外のメニューの処理を実行する。ステップＳ２７０の判定がｙｅｓであればステップＳ２９０に進む。ステップＳ２９０では例えば図６（Ａ）　に示したメールメニュー画面を表示する。なお、図面やフローを省略するが、メニューキー１５のメールキーを押下してダイレクトにメールメニュー画面を表示することも可能である。
【００３４】
次に、ステップＳ３００ではメールメニューの中から「メール作成（編集）が選択されたか」を判定する。判定がｎｏであればステップＳ３１０で、選択されたメールメニューの処理を実行して元のルーチンに復帰する。すなわちメール作成やメール編集以外のメニューの処理を実行する。ステップＳ３００の判定においてｙｅｓであればステップＳ３２０に進み、表示は図６（Ｂ）　の入力待機状態となる。ステップＳ３２０では、本発明の特徴であるダイヤルキー１１の入力操作、すなわち「キー（文字）入力処理」のサブルーチン（図５）を実行する。次に、ステップＳ３３０ではサブメニューから所定の処理を選択実行し、元のルーチンに復帰する。
【００３５】
ステップＳ３２０で図５のキー（文字）入力処理を開始すると、まず、ステップＳ４１０で文字入力モードを選択決定し、漢字モード／カナモードの時ｔｓｅｔ　＝３、英字モードの時ｔｓｅｔ　＝４と設定する。次に、ステップＳ４２０では、キー入力（キーオン）があったか、すなわち「ダイヤルキー１１の「ｉ」キーが押下されたか」を判定する。ステップＳ４２０の判定がｎｏであれば、キー入力があるまでステップＳ４２０の処理を繰り返す。判定がｙｅｓであればステップＳ４３０に進み「０．１秒キータイマ」を始動してダイヤルキー１１の「ｉ」キーの押下時間の計時を開始し、ステップＳ４４０に進む。ステップＳ４４０では、「０．１秒キータイマ」のカウンタｔｃ　の値を０（クリア）にする。これにより、従来のいわゆる「チョイ押し」、すなわち短時間押下も支障なく処理できる。
【００３６】
ステップＳ４５０では「前回の押下とは異なるダイヤルキーか」を判定し、判定がｎｏならステップＳ４７０に進む。判定がｙｅｓならステップＳ４６０に進み「今回のダイヤルキー１１の「ｉ」キーの回数値「ｉ」（ｊ）を０（クリア）にする。これにより、ダイヤルキーが変わった時の入力は１回目から始まり、従来通り支障なく処理できる。そして、ステップＳ４７０に進む。
【００３７】
ステップＳ４７０では「０．１秒キータイマは計時終了か」を判定する。判定がｎｏであればステップＳ５３０に進み、判定がｙｅｓであればステップＳ４８０に進む。ステップＳ４８０では「０．１秒キータイマ」を再び起動して、ステップＳ４９０で０．１秒キータイマのカウンタをインクリメントするとともに、「ｉ」キーの回数値「ｉ」（ｊ）をインクリメントする。すなわち「ｔｃ　←ｔｃ　＋１」と「「ｉ」（ｊ）←「ｉ」（ｊ）＋１」を実行する。なお、「ｉ」（ｊ）の値は「ｉ」キーの文字群の文字数を超えた場合は１とする。
【００３８】
そして、ステップＳ５００で、新たな「ｉ」ｊに対応する文字を表示する。次に、ステップＳ５１０で「ｔｃ　＝ｔｓｅｔ　であるか」を判定する。すなわち、ステップＳ４１０の処理で設定した条件が満たされたか否か（「３つ進む／４つ進む」が満足されたか否か）を判定する。判定がｎｏであればステップＳ５３０に進み、判定がｙｅｓであればステップＳ５２０に進み、ダイヤルキー１１の「ｉ」キーの状態をキーオフとみなして、ステップＳ５４０に進む。
【００３９】
ステップＳ５３０では、ダイヤルキー１１の「ｉ」キーの押下が中止されたかを判定する。判定がｎｏであればステップＳ４７０に戻って「０．１秒キータイマ」の計時を継続する。判定がｙｅｓであれば、キーオフであるから、ステップＳ５４０で「０．１秒キータイマ」を停止し、クリアする。そして、ステップＳ５５０に進む。ステップＳ５５０では「キー（文字）入力を継続するか」すなわち変換キーにより文字変換や確定が指定されたかを判定し、判定がｎｏであればステップＳ５８０に進み、判定がｙｅｓであればステップＳ５６０で「文字入力モードを変更するか」を判定する。判定がｎｏであればステップＳ４２０に戻り、判定がｙｅｓであればステップＳ５７０で今回のダイヤルキー１１の「ｉ」キーの回数値「ｉ」（ｊ）を０（クリア）にする。これにより、文字入力モードが変わった時の入力は１回目から始まり、従来通り支障無く処理できる。そして、ステップＳ４１０に戻る。ステップＳ５８０では「文字変換処理、文字確定処理」を実行し、元のルーチンに復帰する。
【００４０】
以上のように、カウンタｔｃの値が所定数ｔｓｅｔ　に達するまで１回押下の処理（０．１秒の処理）が所定回だけ繰り返され、この所定数ｔｓｅｔ　で設定される所定中時間（この例では、漢字モード／カナモードのとき０．３秒、英字モードのとき０．４秒）以上連続して押下されたとき、「ｉ」キーに対応する文字群が所定数だけ進められて表示され、その文字が入力文字となる。
【００４１】
図７は、文字入力時の液晶表示部２１における表示例を示す図であり、漢字モード／カナモードで“あす”と入力する例を示す。図６（Ｂ）　の状態で「１」キーを１回押下すると“あ”が反転表示される（図７（Ａ）　）。次に、「３」キーを所定中時間（０．３秒）以上押下すると“す”（「３」キーの文字群の３番目の文字）が２桁目に反転表示されるとともに、前桁の“あ”が通常表示となる（図７（Ｂ）　）。なお、こで変換キーを押すと、漢字に変換することもできる。このように、液晶表示部２１には順次入力文字が表示される。
【００４２】
以上の実施形態では、１回押下の処理（ステップＳ４７０〜Ｓ５００）を所定数繰り返すことで所定中時間の連続押下に対応する処理を行うようにしているが、所定中時間を計時するタイマを用い、「ｉ」キーが連続して押下されている間は、所定中時間経過の判定を１回押下の処理に優先し、連続して押下されている時間が所定中時間に達したら文字を所定数進めて文字を表示するとともに入力文字として設定するものでもよい。
【００４３】
以上の実施形態では、所定回（所定数）を漢字モード／カナモードと英字モードとのそれぞれにおいて「ｉ」キーに関係なく一定の値としているが、「ｉ」キーによっては文字群の各が異なるので、次表２のように、「ｉ」キー毎に所定回を設定するようにしてもよい。例えば、所定中時間を０．３秒、所定数を４と設定してもよい。これにより、処理も操作も簡単になる。
【００４４】
【表２】
2004064638.tif 000004
【００４５】
このように、「ｉ」キー毎に所定回を設定すると、全てのキーの文字群に対応して所定文字進んで入力できるので、さらに使い勝手が良くなる。
【００４６】
【発明の効果】
請求項１の携帯電話装置によれば、所定短時間の１回押下だけによる入力操作よりも少ない押下回数で文字入力が可能となり、文字入力時の操作性が向上する。
【００４７】
請求項２の携帯電話装置によれば、請求項１と同様な効果が得られるとともに、キーが継続して押下されている間、繰り返し回数を計数しながら１回押しに対応する処理を繰り返すだけでよいので、処置が容易になる。
【００４８】
請求項３の携帯電話装置によれば、請求項１と同様な効果が得られるとともに、所定短時間よりも長い所定中時間だけ継続して押下した場合に、文字群の文字が４つだけ進んだ入力文字となるので、英字の入力時の操作性が向上する。
【００４９】
請求項４の携帯電話装置によれば、請求項１と同様な効果が得られるとともに、所定短時間よりも長い所定中時間だけ継続して押下した場合に、文字群の文字が３つだけ進んだ入力文字となるので、仮名文字の入力時の操作性が向上する。もちろん、英字も仮名文字も４とすることができる。これにより、グローバルスタンダードを提案できる。
【００５０】
請求項５の携帯電話装置によれば、請求項１と同様な効果が得られるとともに、英字と仮名文字の入力時の操作性がいずれも向上する。
【００５１】
請求項６の携帯電話装置によれば、請求項１と同様な効果が得られるとともに、例えば携帯電話機のダイヤルキーに割り当てる文字群の文字数が異なっていても各文字群における文字の入力が容易になる。
【図面の簡単な説明】
【図１】本発明を適用した携帯電話装置としての携帯電話機の外観斜視図である。
【図２】実施形態の携帯電話機の要部ブロック図である。
【図３】実施形態におけるメインルーチンのフローチャートである。
【図４】実施形態における電話機能処理のサブルーチンのフローチャートである。
【図５】実施形態におけるキー（文字）入力処理のサブルーチンのフローチャートである。
【図６】実施形態におけるメールメニュー画面と文字入力画面の例を示す図である。
【図７】実施形態における入力文字の表示例を示す図である。
【符号の説明】
１１　　ダイヤルキー
２１　　液晶表示部
１０１　ＣＰＵ
１０２　タイマ
【図１】
2004064638.tif 000005
【図２】
2004064638.tif 000006
【図３】
2004064638.tif 000007
【図４】
2004064638.tif 000008
【図５】
2004064638.tif 000009
【図６】
2004064638.tif 000010
【図７】
2004064638.tif 000011